(57)【要約】【課題】背もたれ部の背板部の高さ位置を変えることなく背板部の縦幅を十分に確保でき、座り心地の良いポータブルトイレを提供する。【解決手段】便座（３）と、便槽（２）の開口部（４）を覆う便器蓋（５）と、便器本体部（１）から上方に延びる背もたれ部（６）とを備えたポータブルトイレであり、背もたれ部は、柱部（７ａ，ｂ）と背板部（８）とを備え、便座と便器蓋とは、それぞれ便器本体後部に配置されたそれぞれの回転軸に回動可能に軸止され、便器蓋は、中間位置で二つに折り畳める折り畳み構造（９）を備え、二つ折りにした状態で後方に回動させて開いた状態とするときに、背もたれ部の背板部の下方部を通過して、背もたれ部の後方に位置するように構成され、便器蓋の回転軸位置が、便座の回転軸位置より低い高さ位置に配設されていることを特徴とする。【選択図】　　　　　図１
2004097341.tif 000002
【特許請求の範囲】
【請求項１】
便器本体に設けられる便槽の上部に配置される便座と、その便座の上部から便槽の開口部を覆うように設けられた便器蓋と、前記便器本体部から上方に延びる背もたれ部と、を備えたポータブルトイレであって、
前記背もたれ部は、左右側部に設けられた柱部と、その左右柱部間の上部に左右方向に掛け渡された背板部とを備え、
前記便座と前記便器蓋とは、それぞれ便器本体後部に配置されたそれぞれの回転軸に回動可能に軸止され、
前記便器蓋は、中間位置で二つに折り畳める折り畳み構造を備え、その中間位置で二つ折りにした状態で後方に回動させて開いた状態とするときに、前記背もたれ部の前記背板部の下方部を通過して、前記背もたれ部の後方に位置するように構成され、
前記便器蓋の回転軸位置が、前記便座の回転軸位置より低い高さ位置に配設されていることを特徴とするポータブルトイレ。
【請求項２】
便器本体に設けられる便槽の上部に配置される便座と、その便座の上部から便槽の開口部を覆うように設けられた便器蓋と、前記便器本体部から上方に延びる背もたれ部と、を備えたポータブルトイレであって、
前記背もたれ部は、左右側部に設けられた柱部と、その左右柱部間の上部に左右方向に掛け渡された背板部とを備え、
前記便座と前記便器蓋とは、それぞれ便器本体後部に配置されたそれぞれの回転軸に回動可能に軸止され、
前記便器蓋は、中間位置で二つに折り畳める折り畳み構造を備え、その中間位置で二つ折りにした状態で後方に回動させて開いた状態とするときに、前記背もたれ部の前記背板部の下方部を通過して、前記背もたれ部の後方に位置するように構成され、
前記便器蓋の回転軸位置が、便器本体部の前後方向に対して、前記背もたれ下部の位置より後方の位置に配設されていることを特徴とするポータブルトイレ。
【請求項３】
前記便器蓋の回転軸位置が、便器本体部の上面位置より低い位置に配設されていることを特徴とする請求項２に記載のポータブルトイレ。
【発明の詳細な説明】
【０００１】
【発明の属する技術分野】
本発明は、主に一般室内で使用するポータブルトイレに関するものであり、特に背もたれ部を有し、便器の蓋を折り畳んで開閉する形式のポータブルトイレに関するものである。
【０００２】
【従来の技術】
従来から、主に介護用のポータブルトイレに関する技術が様々提案されており、その中に、便器本体の上面後方部に背もたれ部が立設され、便器の蓋を開閉する際に、便器蓋を折り畳んで開閉するように構成した技術がある。例えば、特許文献１（特開平１１−２６７０６７号公報）には、便器本体に設けられた便槽の上部に配置される便座と、その便座の上部から便槽の開口部を覆うように設けられた便器蓋と、前記便器本体の上面後方部から上方に延びる背もたれ部と、を備えたポータブルトイレが開示されている。
【０００３】
より詳細には、この従来のポータブルトイレは、背もたれ部が左右側部に設けられた柱部と、その柱部の上部に左右方向に掛け渡された背板部とを備えており、便器蓋は中間位置で二つに折り畳める折り畳み構造を備えている。そして、便座蓋は、その中間位置で二つ折りにした状態で後方に回動させて開いた状態とするときに、背もたれ部の背板部の下方部を通過して、背もたれ部の後方に位置するように構成されたものである。この従来技術によれば、便器蓋を開けて便座に座って背もたれ部にもたれかかるときに、便器蓋が背もたれ部より後方の位置に保持されているから、使用者が背もたれ部にもたれ掛かるときに便器蓋が邪魔にならないようになっている。
【０００４】
【特許文献１】
特開平１１−２６７０６７号公報
【０００５】
【発明が解決しようとする課題】
上記従来の技術のように便器蓋を背もたれ部の背板部の下方部（つまり、便器本体部の上面部と背もたれ部の下端との間の空間）を通過させる構成とする場合には、この背板部は便器蓋の回動の妨げとならない位置に配置しておく必要がある。即ち、背もたれ部の背板部（下部）の便器本体上面からの高さを、便器蓋を開放するときに通過することが出来る高さにしなければならない。言い換えれば、背もたれ部の下部の位置は、二つ折りにされた便器蓋の長さの回転半径（移動の軌跡）よりも高い位置にしなければならない。
【０００６】
便器蓋は便座の上面側から便器本体の便槽開口部を覆うものであるから、便器蓋の大きさは便槽の開口部並びに便座を覆うのに十分なものとしておかなければならない。よって、背板部の下端部の高さ位置は、便器蓋の大きさにより下限位置が規制されることとなる。また、便器蓋が二つ折り構造であるならば、その中間部までの大きさ（長さ）が回動の先端部の移動軌跡を規定するが、二つ折りにするために、背板部の下端部の高さ位置は便座蓋全体の長さの半分以下にはならない。
【０００７】
一方、便器に座って背中を背もたれ部にもたれ掛けたときの座り心地の良さは、背板部の大きさ（縦方向の幅、又は上下方向の長さ）に左右される。つまり、背板部の幅が十分に大きいものであれば背中をもたれ掛けたときに座り心地が良く、この幅が狭いと座り心地は良くない。そして、背もたれの上部が余り高くても支えにならないし、本体が大型化するの加えて邪魔になるので、背板部の上部の端はせいぜい背中の上部あたりに当接する位置までに制限される。
【０００８】
逆に、背もたれ部の背板部の下方は便器蓋が通過するため、上述したように背板部の下限位置が規制されているため、背板部の幅を下方の位置まで広げるのには限界がある。つまり、背板部の幅は、便器蓋を開くときの移動軌跡に触れない位置の高さより低い位置まで下方に延ばすことはできないのである。例えば、上記従来の技術では、便器蓋の回転軸は便器本体後部側の上部で背もたれ部のほぼ真下の位置に配設されている。よって、背板部の高さ位置は、便器蓋が回転軸回りに回動してほぼ垂直に立った状態における上端部より高くしておかなければならない。
【０００９】
より具体的に説明すると、上記従来の技術では、図５に示すように、二つに折り畳まれた便器蓋２０５は便器本体２０１の上面の後端部近傍に配設された便器蓋回転軸２１０回りに回動可能に構成されている。そして、便器蓋２０５を開いた状態で、便器蓋２０５を背もたれ部２０６の後方へ配置するために、背板部２０８の下端部の便器本体２０１の上面からの高さＨ２を、二つに折り畳まれた便器蓋２０５の回動軌跡上端部（便器本体２０１上面からの高さＨ１）より大きく（上部に、又は高く）しておかなければならない。簡単に言えば、便器蓋２０５が背板部２０８に干渉しないだけの高さ位置に背板部２０８を設置しておかなければならないのである。
【００１０】
このため、座り心地を重視して、背板部２０８の幅を下方に広くしたくても、便器蓋２０５の回動軌跡より下方の位置まで背板部２０８の幅を広げることができず、これが背もたれの縦幅の制限となって、背もたれ部２０６の背板部２０８に背中をもたれ掛けたときに背中がフィットして心地良い姿勢で座るのには十分ではないという問題があった。
【００１１】
逆に、座り心地を求めて背もたれ部２０６の背板部２０８の幅を上方に広げようとしても、ポータブルトイレがいたずらに大型となってしまう（高さ方向が大きくなる）ため、移動式という観点から鑑みても好ましい構造と言えるものではなかった。
【００１２】
本発明は、斯かる実情に鑑み、背もたれ部の背板部の上端部の高さ位置を変えることなく背板部の幅を十分に確保できる構造のポータブルトイレを提供することを目的とする。さらに、本発明の目的は、背もたれの背板部が従来より大きくて、より座り心地の良いポータブルトイレを提供することにある。
【００１３】
【課題を解決するための手段】
上記目的を達成するために、請求項１に記載の発明では、便器本体に設けられる便槽の上部に配置される便座と、その便座の上部から便槽の開口部を覆うように設けられた便器蓋と、前記便器本体部から上方に延びる背もたれ部と、を備えたポータブルトイレであって、前記背もたれ部は、左右側部に設けられた柱部と、その左右柱部間の上部に左右方向に掛け渡された背板部とを備え、前記便座と前記便器蓋とは、それぞれ便器本体後部に配置されたそれぞれの回転軸に回動可能に軸止され、前記便器蓋は、中間位置で二つに折り畳める折り畳み構造を備え、その中間位置で二つ折りにした状態で後方に回動させて開いた状態とするときに、前記背もたれ部の前記背板部の下方部を通過して、前記背もたれ部の後方に位置するように構成され、前記便器蓋の回転軸位置が、前記便座の回転軸位置より低い高さ位置に配設されていることを特徴とするポータブルトイレを提供する。
【００１４】
即ち、本発明は、二つ折りに折り畳んで背もたれ部の背板部下方に通過させるように便器蓋を開ける構成のポータブルトイレであって、前記便座と前記便器蓋とは、それぞれ便器本体後部に配置された回転軸に回動可能に軸止されており、前記便器蓋の回転軸位置が、前記便座の回転軸位置より低い高さ位置に配設されていることに大きな特徴を有している。ちなみに、従来の同種のポータブルトイレでは、少なくとも高さ位置は、便座と同じ、便器本体の上面部に沿った位置である。本発明では、便器蓋の回動位置を、便器本体上面部より下方位置に下げたことにも特徴がある。
【００１５】
本発明によれば、便器蓋の回転軸位置が便座の回転軸位置（便器本体上面位置）より下方に配設されているから、便器蓋を開けた状態のときに便器蓋の便器本体の上面からの高さ位置を従来技術に比べて低い高さ位置とすることができる。より詳細に説明すると、図３に示すように、本発明の便器蓋１０５は、便器本体の上面部に沿って配設された便座１０３の便座回転軸１１１より下方に配設された便器蓋回転軸１１０に軸止めされている。この軸支位置は、便器蓋１０５の閉状態での便器蓋面位置（便器本体上面の位置）から下方に位置するので、便器蓋１０５は、便器蓋回動軸１１０側へ下方に突出した腕状の支持部１１５を備えている。
【００１６】
このため、図に示すように、二つに折り畳まれた便器蓋１０５の開閉動作時における先端部の移動軌跡（便器蓋がほぼ垂直上方に向いたときの便器本体１０１上面から便器蓋１０５先端部の高さ位置）は、背もたれ１０８の下端部を通過する際に、最大で高さＨ３となり、図３に二点鎖線で示す従来技術における高さ位置Ｈ１より低い位置となる。
【００１７】
即ち、図５に示すように従来技術では便器蓋回転軸２１０と便座回転軸２１１とが同じ高さ位置に配設されるものであったのに対し、本発明では便器蓋回転軸１１０の位置を便座回転軸１１１（又は便器本体上面部、もしくは閉状態の便器蓋面と水平な位置）より下方に配設したことによって、二つ折りに折り畳んだ便器蓋１０５の上端部の便器本体１０１の上面からの高さ位置の下限を従来より低くすることができる。
【００１８】
よって、本発明によれば、従来技術に比べて高さＨ１と高さＨ３との差、即ち、図３に示す長さＸだけ背板部１０８の幅を下方へ広げる（延ばす）ことができる。つまり、長さＸの分だけ背中を支える面積が大きくなり、便器に座って背中を背板部１０８にもたれ掛けたときに、背中にフィットした感じが得られ、座り心地の良いものとなるのである。
【００１９】
なお、本発明の便器蓋の形状は、便器蓋を閉めたときには便座の上部から便槽の開口部を覆う構造であれば何れの形状であっても全て含まれるものである。より好ましくは、便器蓋の後端側の左右縁部から（便器蓋を閉じた状態で）下方へ延びる湾曲部を腕状に形成し、この湾曲部の先端部を便器蓋回転軸に軸止めしておくのが良い。このように構成することで、湾曲部が便座の後方縁部と干渉することなくスムーズに便器蓋を開閉することができるからである。なお、ここで言う腕状の湾曲部は、曲面形状を有するものばかりでなく、図３に示すように断面略Ｌ字状の折れ曲がり部からなる腕状の部分（符号１１５）をも含む概念のものである。
【００２０】
また、請求項２に記載の発明では、便器本体に設けられる便槽の上部に配置される便座と、その便座の上部から便槽の開口部を覆うように設けられた便器蓋と、前記便器本体部から上方に延びる背もたれ部と、を備えたポータブルトイレであって、前記背もたれ部は、左右側部に設けられた柱部と、その左右柱部間の上部に左右方向に掛け渡された背板部とを備え、前記便座と前記便器蓋とは、それぞれ便器本体後部に配置されたそれぞれの回転軸に回動可能に軸止され、前記便器蓋は、中間位置で二つに折り畳める折り畳み構造を備え、その中間位置で二つ折りにした状態で後方に回動させて開いた状態とするときに、前記背もたれ部の前記背板部の下方部を通過して、前記背もたれ部の後方に位置するように構成され、前記便器蓋の回転軸位置が、便器本体部の前後方向に対して、前記背もたれ下部の位置より後方の位置に配設されていることを特徴とするポータブルトイレを提供する。
【００２１】
即ち、本発明は、二つ折りに折り畳んで背もたれ部の背板部下方に通過させるように便器蓋を開ける構成のポータブルトイレであって、前記便座と前記便器蓋とは、それぞれ便器本体後部に配置された回転軸に回動可能に軸止されており、前記便器蓋の回転軸位置が、便器本体部の前後方向に対して、前記背もたれ下部の位置より後方の位置に配設されていることを特徴とするものである。ちなみに、従来の同種のポータブルトイレでは、回動蓋部の軸支位置は、前後方向で見ると、背もたれ下端部のほぼ真下の位置かそれより前である。本発明では、少なくとも前後方向の位置を、背もたれ（下部の真下位置）より後方の位置に設けていることが特徴である。
【００２２】
これにより、仮に同じ長さ（大きさ）の便器蓋を使用しても、開閉動作時の移動軌跡は全体が後方に移動するので、最高高さ位置（垂直上方にたった状態）の位置もその分だけ後方に位置することになる。
【００２３】
このため、背もたれ部の下端部は、便器蓋先端部の移動軌跡のもっとも高い位置より前側なので、その分だけそこを通過する便座蓋の先端部は低い位置を通過する。この高さの差の分だけ背もたれ部を従来より下方に大きく形成することができることとなる。
【００２４】
なお、便座蓋先端部の移動軌跡のもっとも高い位置より低い位置で背もたれ下端部を通過させるには、背もたれの最下部より前に便器蓋の回動軸部を設けることも可能であるが、背もたれの後部まで蓋部を回動させてもその軸支部が前方に残り、使用者が座ったときにお尻に触れたりして使用感が悪くなる問題がある。このため、便器蓋部の先端部の移動軌跡を前後方向に移動する場合には、後方に移動することが好ましい。
【００２５】
次に、請求項３記載の発明では、請求項２記載の発明であって、前記便器蓋の回転軸位置が、便器本体部の上面位置より低い位置に配設されていることを特徴とするものである。
【００２６】
本発明では、便器蓋の回転軸位置が便器本体の上面位置より低い位置であって、さらに背もたれ部の下部の真下の位置より後方に配設されている。この構成による便器蓋５の回動軌跡は、図４に示す通りである。即ち、本発明の便器蓋５は、便座３の便座回転軸１１より下方に配設されている。さらに、背もたれの下部の真下の位置より前後方向では後方に配設された便器蓋回転軸１０に軸止めされている。
【００２７】
言い換えれば、便器蓋５を軸支する便器蓋回動軸１０は、便器本体１の上面部（閉状態の便器蓋面の水平位置）よりも下方に配設されている。また、便座回転軸１１よりも後方に位置している。
【００２８】
このため、二つに折り畳まれた便器蓋５の先端部の回動軌跡は、背もたれ部の真下の位置で、高さＨ４となり、図４に二点鎖線で示す従来技術における高さ位置Ｈ１より低い位置となる。
【００２９】
よって、本発明によれば、従来技術に比べて高さＨ１と高さＨ４との差、即ち、図４に示す長さＹだけ背板部８の幅を下方へ広くする（延ばす）ことができる。つまり、長さＹの分だけ背中を支える面積が大きくなり、便器に座って背中を背板部８にもたれ掛けたときに、背中にフィットした感じが得られ、座り心地の良いものとなるのである。
【００３０】
しかも、本発明によれば、便器蓋５の回動軸１０が便座３の回動軸１１より後方（図４中右側）に配設されているため、便座３の後方縁部、即ち便座回動軸に軸止めされた便座の縁部分を便器蓋が後方から完全に覆い隠すように被さることができるため、外観がより美しくなるという利点がある。
【００３１】
本発明の別の態様では、便器蓋の回転軸位置が便座の回転軸位置より後方であって、さらに下方に配設されている。この場合、便器蓋の回動位置は便器本体の後端部であって、便座の回転軸位置より後方であれば、使用者が便座に座ったときに便器蓋の回動軸部が差し障ることはない。さらに、後方で且つ下方に設けることで、便器蓋の回動時の先端部の移動軌跡を下げることができる。これにより、背もたれの背板部を従来より下方に拡大できるものとなる。
【００３２】
【発明の実施の形態】
以下、本発明の実施の形態を図示例と共に説明する。尚、図中、図と同一の符号を付した部分は同一物又は相当物を表わしている。図１及び図２に示すように、本発明の一実施形態に係るポータブルトイレは、便器本体１の内部に着脱可能に設けられた便槽２の上部に配置されるＯ型の便座３と、その便座３の上部から便槽２の開口部４を覆うように設けられた便器蓋５と、前記便器本体１の上面後方部から上方に延びる背もたれ部６とで主に構成されている。
【００３３】
背もたれ部６は、左右側部に設けられた柱部７ａ，７ｂと、その柱部７ａ，７ｂの間の上部に左右方向に掛け渡された背板部８とを備えて構成されており、背板部８には背中をもたれ掛けた際に座り心地を良くするために表面側にクッションが取り付けられている。また、便器蓋５は、中間位置で二つに折り畳める折り畳み構造９を備えている。この折り畳み構造９の詳細は図示していないが、便器蓋５を前方と後方とに二分割にしておき、これら二つの蓋部材を中間位置で軸部材により軸止めし、中間位置を山部として前方と後方の蓋部材が二つに折れ曲がるようになった一般的な構造である。
【００３４】
さらに、本実施形態では、座り心地を良くし、かつ、便器に座ったり、立ちあがったりする際の安全のために、高さ位置の調整が可能な手摺り部１３ａ，１３ｂを便器本体１の側縁部に設けている。
【００３５】
このように構成されたポータブルトイレの便座蓋５は、その中間位置で二つ折りにした状態で後方に回動させて開いた状態（図１の状態）とするときに、背もたれ部６の背板部８の下方部を通過して、背もたれ部６の後方に位置するようになっている。
【００３６】
また、便座３と便器蓋５とは、図４に示すものと同様に便器本体１に取り付けられている。即ち、便座３は便器本体１の上面位置の後部に配設された便座回転軸１１に回動可能に軸止めされており、便器蓋５は便器蓋回転軸１０に回動可能に軸止めされている。そして、便器蓋回転軸１０の位置は、便座回転軸１１の位置（便器本体上面部）より低い高さ位置であって、且つ、便座回動軸１１の後方に配設されている。なお、背板部８の下部の真下部より後方に位置させても良い。
【００３７】
そして、本実施形態に係るポータブルトイレを使用するときには、まず、図２に示すような便器蓋５が閉じた状態から、便器蓋５の上面の把手部１２を手で掴んで上方に開ける。すると、便器蓋５は二つに折れ曲がりながら回動し、背もたれ部６より後方の位置にまで移動されるので、便座３に座って背中を背板部８にもたれ掛けても便器蓋５は邪魔になることはない。
【００３８】
また、図４に示すものと同様に、便器蓋５が開いた状態における便器本体１からの高さは従来技術に比べて低くすることができるから、その分だけ背板部８の幅を下方に広げることができ、背板部８に背中をもたれ掛けたときにしっかりと背中を支持することができる。よって、より座り心地のよい便器となるのである。
【００３９】
尚、本発明のポータブルトイレは、上述の実施形態にのみ限定されるものではなく、本発明の要旨を逸脱しない範囲内において種々変更を加え得ることは勿論である。
【００４０】
【発明の効果】
以上、説明したように、本発明に係るポータブルトイレによれば、便器蓋の回転軸を、便器蓋の面（便器本体上面）より下方位置にしたり、又は、便座の回動軸や背もたれの下部の真下位置より後方位置にすることにより、背もたれ部の背板部の全体の高さを変えることなく背板部の幅を広くして十分な大きさを確保でき、座り心地に大変優れたポータブルトイレとなるのである。
【図面の簡単な説明】
【図１】本発明の一実施形態に係るポータブルトイレの便器蓋を開けた状態での概略構成図である。
【図２】本発明の一実施形態に係るポータブルトイレの便器蓋を閉めた状態での概略構成図である。
【図３】本発明の便器蓋の回動軌跡を説明するための図である。
【図４】本発明の便器蓋の回動軌跡を説明するための図である。
【図５】従来技術の便器蓋の回動軌跡を説明するための図である。
【符号の説明】
１，１０１，２０１：便器本体
２：便槽
３，１０３，２０３：便座
４：開口部
５，１０５，２０５：便器蓋
６，１０６，２０６：背もたれ部
７ａ，７ｂ：柱部
８，１０８，２０８：背板部
９，１０９，２０９：折り畳み構造
１０，１１０，２１０：便器蓋回転軸
１１，１１１，２１１：便座回転軸
１２：把手部
１３ａ，１３ｂ：手摺り部
１５，１１５：支持部
【図１】
2004097341.tif 000003
【図２】
2004097341.tif 000004
【図３】
2004097341.tif 000005
【図４】
2004097341.tif 000006
【図５】
2004097341.tif 000007